(57)【要約】【課題】モアレ、濃淡むら及びぎらつきを目立たなくさせる導電体パターンを含んだタッチパネルセンサを提供する。【解決手段】タッチパネルセンサ３０は、第１方向ｄｘに一定ピッチで配列され且つ第１方向ｄｘと交差する方向に延びる複数の導電体細線部をそれぞれ含むｎ個の細線部群を有する。ｎは、２以上の自然数である。ｎ個の細線部群にそれぞれ含まれる導電体細線部が、第１方向に順に配列され、異なる細線部群に含まれて第１方向に隣り合う二つの導電体細線部の第１方向に沿った配置間隔は、一定ではない。【選択図】図５
2016103202.tif 000002
【特許請求の範囲】
【請求項１】
第１方向に一定ピッチで配列され且つ前記第１方向と交差する方向に延びる複数の導電体細線部をそれぞれ含むｎ個の細線部群を備え、
ｎは、２以上の自然数であり、
前記ｎ個の細線部群にそれぞれ含まれる導電体細線部が、前記第１方向に順に配列され、
異なる細線部群に含まれて前記第１方向に隣り合う二つの導電体細線部の前記第１方向に沿った配置間隔は、一定ではない、タッチパネルセンサ。
【請求項２】
前記第１方向と交差する第２方向に一定ピッチで配列され且つ前記第２方向と交差する方向に延びる複数の第２導電体細線部をそれぞれ含むｍ個の細線部群を、さらに備え、
ｍは、２以上の自然数であり、
前記ｍ個の細線部群にそれぞれ含まれる第２導電体細線部が、前記第２方向に順に配列され、
異なる細線部群に含まれて前記第２方向に隣り合う二つの第２導電体細線部の前記第２方向に沿った配置間隔は、一定ではない、タッチパネルセンサ。
【請求項３】
第１検出電極と、前記第１検出電極と重ねて配置された第２検出電極と、を備え、
前記ｎ個の細線部群は、前記第１検出電極に含まれている、請求項１又は２に記載のタッチパネルセンサ。
【請求項４】
前記第１方向に一定ピッチで配列され且つ前記第１方向と交差する方向に延びる複数の第３導電体細線部をそれぞれ含むｋ個の細線部群を、さらに備え、
ｋは、２以上の自然数であり、
前記ｋ個の細線部群にそれぞれ含まれる第３導電体細線部が、前記第１方向に順に配列され、
異なる細線部群に含まれて前記第１方向に隣り合う二つの第３導電体細線部の前記第１方向に沿った配置間隔は、一定ではなく、
前記ｋ個の細線部群は、前記第２検出電極に含まれている、請求項３に記載のタッチパネルセンサ。
【請求項５】
前記第１方向と交差する第２方向に一定ピッチで配列され且つ前記第２方向と交差する方向に延びる複数の第４導電体細線部をそれぞれ含むｓ個の細線部群を、さらに備え、
ｓは、２以上の自然数であり、
前記ｓ個の細線部群にそれぞれ含まれる第４導電体細線部が、前記第２方向に順に配列され、
異なる細線部群に含まれて前記第２方向に隣り合う二つの第４導電体細線部の前記第２方向に沿った配置間隔は、一定ではなく、
前記ｓ個の細線部群は、前記第２検出電極に含まれている、請求項４に記載のタッチパネルセンサ。
【請求項６】
第１検出電極と、前記第１検出電極と重ねて配置された第２検出電極と、を備え、
前記ｎ個の細線部群のうちの一部の細線部群が、前記第１検出電極に含まれ、
前記ｎ個の細線部群のうちの前記一部以外の細線部群が、前記第２検出電極に含まれている、請求項１又は２に記載のタッチパネルセンサ。
【請求項７】
前記第１検出電極に含まれる導電体細線部と前記第２検出電極に含まれる導電体細線部とが、前記第１方向に順に配列されている、請求項６に記載のタッチパネルセンサ。
【請求項８】
請求項１〜７のいずれか一項に記載されたタッチパネルセンサを備える、タッチパネル装置。
【請求項９】
請求項１〜７のいずれか一項に記載されたタッチパネルセンサと、
前記タッチパネルセンサと重ねて配置された画像表示機構と、を備える、表示装置。
【発明の詳細な説明】
【技術分野】
【０００１】
本発明は、導電体パターンを含むタッチパネルセンサ、タッチパネルセンサを含むタッチパネル装置、タッチパネルセンサを含む表示装置、並びに、タッチパネルセンサの製造方法に関する。
【背景技術】
【０００２】
今日、入力手段として、タッチパネル装置が広く用いられている。タッチパネル装置は、多くの場合、液晶ディスプレイやプラズマディスプレイ等の画像表示機構が組み込まれた種々の装置等（例えば、券売機、ＡＴＭ装置、携帯電話、ゲーム機）に対する入力手段として、画像表示機構とともに用いられている。このような装置において、タッチパネルセンサは画像表示機構の表示面上に配置され、これにより、タッチパネル装置は表示装置に対する極めて直接的な入力を可能にする。タッチパネルセンサのうちの画像表示機構の表示領域に対面する領域は透明になっており、タッチパネルセンサのこの領域が、接触位置（接近位置）を検出し得るアクティブエリアを構成するようになる。
【０００３】
タッチパネル装置は、タッチパネルセンサ上への接触位置（接近位置）を検出する原理に基づいて、種々の形式に区別され得る。昨今では、種々の利点から、投影型容量結合方式のタッチパネル装置が普及している。投影型の容量結合方式のタッチパネル装置は、アクティブエリア内に配置された一対の検出電極群を含んでいる。例えば特許文献１に開示されたタッチパネルセンサでは、アクティブエリア内に位置する検出電極が、金属材料からなる導線で形成されている。このタッチパネルセンサでは、金属材料の導電率が高いことから、面抵抗率（単位：Ω／□）を十分小さくすることができる。その一方で、導電性に優れた金属材料は、不透明である。したがって、各検出電極は、金属導線を用いて作成された導電体パターンとして構成され、アクティブエリアでのタッチパネルセンサの可視光透過性を確保している。導電体パターンは、例えば多数の開口領域を画成するメッシュパターンにて金属導線を配置して形成される。ただし、このような導電体パターンは、モアレ、ぎらつき、濃淡むらといった不具合を引き起こすことが知られている。そして、このような不具合を解消するため、種々の研究が行われてきた。
【先行技術文献】
【特許文献】
【０００４】
【特許文献１】特許第５２２４２０３号
【０００５】
モアレは、明暗の筋模様が視認されるようになる現象であり、導電体パターンの規則性（周期性）と、導電体パターンと重ねられる他の部材のパターンの規則性（例えば、画像表示機構の画素配列の規則性）との干渉によって生じるとされている。このため、一般的には、導電体パターンを不規則化することが、モアレの不可視化に有効であるとされてきた。
【０００６】
一方、ぎらつきは、複数の色成分が表示面上に粒状に多数視認される現象である。ぎらつきは、表示画像の色再現性を直接的に低下させ、これにより、画像表示機構による表示品位を劣化させるものである。ぎらつきの発生は、導電体パターンをなす金属導線の分布の不均一性に起因して、画像表示機構の特定の色成分を表現するためのサブ画素だけが集中的に金属導線で覆われることが原因であると考えられている。
【０００７】
また、濃淡むらは、導電体パターンの透過光量や導電体パターンからの外光反射量が面内で不均一となり、明るく観察される部分が局所的に存在するようになる現象である。濃淡むらの発生は、導電体パターンの局所的な不均一性が原因であると考えられている。
【０００８】
すなわち、モアレの不可視化には、導電体パターンの不規則化が有効であり、ぎらつきや濃淡むらの不可視化には、導電体パターンの規則化が有効である。このため、従来の技術では、モアレ、ぎらつき、濃淡むらのすべてに対処できる導電体パターンは存在しなかった。本発明は、以上の点を考慮してなされたものであり、モアレ、ぎらつき、濃淡むらを目立たなくさせる導電体パターンを含んだタッチパネルセンサを提供することを目的とする。また、本発明は、このタッチパネルセンサを含むタッチパネル装置及び表示装置、並びに、このタッチパネルセンサの製造方法を提供することを目的とする。
【発明の概要】
【課題を解決するための手段】
【０００９】
本発明によるタッチパネルセンサは、
第１方向に一定ピッチで配列され且つ前記第１方向と交差する方向に延びる複数の導電体細線部をそれぞれ含むｎ個の細線部群を備え、
ｎは、２以上の自然数であり、
前記ｎ個の細線部群にそれぞれ含まれる導電体細線部が、前記第１方向に順に配列され、
異なる細線部群に含まれて前記第１方向に隣り合う二つの導電体細線部の前記第１方向に沿った配置間隔は、一定ではない。
【００１０】
本発明によるタッチパネルセンサにおいて、
前記第１方向と交差する第２方向に一定ピッチで配列され且つ前記第２方向と交差する方向に延びる複数の第２導電体細線部をそれぞれ含むｍ個の細線部群を、さらに備え、
ｍは、２以上の自然数であり、
前記ｍ個の細線部群にそれぞれ含まれる第２導電体細線部が、前記第２方向に順に配列され、
異なる細線部群に含まれて前記第２方向に隣り合う二つの第２導電体細線部の前記第２方向に沿った配置間隔は、一定ではなくてもよい。
【００１１】
本発明によるタッチパネルセンサにおいて、
第１検出電極と、前記第１検出電極と重ねて配置された第２検出電極と、を備え、
前記ｎ個の細線部群は、前記第１検出電極に含まれていてもよい。
【００１２】
本発明によるタッチパネルセンサにおいて、
前記第１方向に一定ピッチで配列され且つ前記第１方向と交差する方向に延びる複数の第３導電体細線部をそれぞれ含むｋ個の細線部群を、さらに備え、
ｋは、２以上の自然数であり、
前記ｋ個の細線部群にそれぞれ含まれる第３導電体細線部が、前記第１方向に順に配列され、
異なる細線部群に含まれて前記第１方向に隣り合う二つの第３導電体細線部の前記第１方向に沿った配置間隔は、一定ではなく、
前記ｋ個の細線部群は、前記第２検出電極に含まれていてもよい。
【００１３】
本発明によるタッチパネルセンサにおいて、
前記第１方向と交差する第２方向に一定ピッチで配列され且つ前記第２方向と交差する方向に延びる複数の第４導電体細線部をそれぞれ含むｓ個の細線部群を、さらに備え、
ｓは、２以上の自然数であり、
前記ｓ個の細線部群にそれぞれ含まれる第４導電体細線部が、前記第２方向に順に配列され、
異なる細線部群に含まれて前記第２方向に隣り合う二つの第４導電体細線部の前記第２方向に沿った配置間隔は、一定ではなく、
前記ｓ個の細線部群は、前記第２検出電極に含まれていてもよい。
【００１４】
本発明によるタッチパネルセンサにおいて、
第１検出電極と、前記第１検出電極と重ねて配置された第２検出電極と、を備え、
前記ｎ個の細線部群のうちの一部の細線部群が、前記第１検出電極に含まれ、
前記ｎ個の細線部群のうちの前記一部以外の細線部群が、前記第２検出電極に含まれていてもよい。
【００１５】
本発明によるタッチパネルセンサにおいて、前記第１検出電極に含まれる導電体細線部と前記第２検出電極に含まれる導電体細線部とが、前記第１方向に順に配列されていてもよい。
【００１６】
本発明によるタッチパネル装置は、上述した本発明によるタッチパネルセンサのいずれかを備える。
【００１７】
本発明による表示装置は、
本発明によるタッチパネルセンサのいずれかと、
前記タッチパネルセンサと重ねて配置された画像表示機構と、を備える。
【発明の効果】
【００１８】
本発明によれば、モアレ、濃淡むら、ぎらつきを効果的に目立たなくさせることができる。
【図面の簡単な説明】
【００１９】
【図１】図１は、本発明の一実施の形態を説明するための図であり、表示装置及びタッチパネル装置を模式的に示す図である。
【図２】図２は、タッチパネル装置のタッチパネルセンサを示す平面図である。
【図３】図３は、タッチパネルセンサの層構成の一例を示す図である。
【図４】図４は、タッチパネルセンサの層構成の他の例を示す図である。
【図５】図５は、タッチパネルセンサの第１電極に含まれる第1検出電極の第１導電体パターンの一例を示す平面図である。
【図６】図６は、タッチパネルセンサの第２電極に含まれる第２検出電極の第２導電体パターンの一例を示す平面図である。
【図７】図７は、図５に示された第１導電体パターンと図６に示された第２導電体パターンとを重ねた状態で示す平面図である。
【図８】図８は、第１導電体パターンの他の例と第２導電体パターンの他の例とを重ねた状態で示す平面図である。
【図９】図９は、第1導電体パターンの他の例を示す平面図である。
【図１０】図１０は、第２導電体パターンの他の例を示す平面図である。
【図１１】図１１は、第１導電体パターンのさらに他の例を示す平面図である。
【図１２】図１２は、図２に対応する図であって、タッチパネルセンサの電極の一変形例を説明するための図である。
【発明を実施するための形態】
【００２０】
以下、図面を参照して本発明の一実施の形態について説明する。なお、本明細書に添付する図面においては、図示と理解のしやすさの便宜上、適宜縮尺および縦横の寸法比等を、実物のそれらから変更し誇張してある。
【００２１】
なお、本明細書において、「板」、「シート」、「フィルム」の用語は、呼称の違いのみに基づいて、互いから区別されるものではない。例えば、「基材シート」はシートやフィルムと呼ばれ得るような部材も含む概念であり、したがって、例えば「基材シート」は、「基材板（基板）」や「基材フィルム」と呼ばれる部材と呼称の違いのみにおいて区別され得ない。
【００２２】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２３】
図１〜図１２は、本発明による一実施の形態およびその変形例を説明するための図である。このうち図１はタッチパネル装置及び表示装置を概略的に示す図であり、図２はタッチパネル装置のタッチパネルセンサを示す平面図であり、図３及び図４はタッチパネルセンサの層構成を例示する図面であり、図５〜７はタッチパネルセンサの導電体パターンの一例を示す平面図である。図８〜図１２は、変形例を説明するための図である。
【００２４】
図１に示すように、タッチパネル装置２０は、画像表示機構（例えば液晶表示装置）１２とともに組み合わされて用いられ、表示装置１０を構成している。画像表示機構１２は、画像を表示することができる表示領域Ａ１と、表示領域Ａ１を取り囲むようにして表示領域Ａ１の外側に配置された非表示領域（額縁領域とも呼ばれる）Ａ２と、を含んでいる。タッチパネル装置２０は、タッチパネルセンサ３０及び透明カバー２２を含んでいる。タッチパネルセンサ３０は、画像表示機構１２の表示面１２ａに対面する位置に配置されている。透明カバー２２は、画像表示機構１２とは反対側からタッチパネルセンサ３０に対面する位置に配置されている。透明カバー２２は、タッチパネル装置２０によって外部導体の接触（接近）位置の検出を実施されるタッチ面を形成する。透明カバー２２は、接合層を介してタッチパネルセンサ３０と接合されていてもよい。以下においては、タッチパネル装置２０が、投影型容量結合方式のタッチパネル装置として構成された例について説明する。
【００２５】
図２に示すように、投影型容量結合方式として構成されたタッチパネルセンサ３０は、その法線方向に沿って離間して配置された第１電極４０及び第２電極４５を有している。図３に示すように、タッチパネルセンサ３０は、両側の表面上に第１電極４０及び第２電極４５がそれぞれ形成された一枚の基材シート３５を含むようにしてもよい。また一変形例として、図４に示すように、タッチパネルセンサ３０は、第１電極４０が形成された第１透明基材３５ａと、第２電極４５が形成された第２透明基材３５ｂと、の二枚の透明基材３５を含むようにしてもよい。また、第１電極４０が形成された第１透明基材３５ａと、第２電極４５が形成された第２透明基材３５ｂは、接合層を介して互いに接合されていてもよい。
【００２６】
なお、以下においては、図３に示された層構成について説明していくが、図４に示された例において、第１電極４０及び第２電極４５は、以下に説明する方法にて、第１透明基材３５ａ及び第２透明基材３５ｂ上にそれぞれ作製することができる。また、図４に示された例において、第１基材シート３５ａ及び第２基材シート３５ｂは、以下に説明するタッチパネルセンサ３０の基材シート３５と同様に構成され得る。
【００２７】
基材シート３５は、電極４０，４５を支持する基材として機能し、且つ、タッチパネルセンサ３０における誘電体としても機能する。図２に示すように、基材シート３５は、タッチ位置を検出され得る領域に対応するアクティブエリアＡａ１と、アクティブエリアＡａ１に隣接する非アクティブエリアＡａ２と、を含んでいる。図１に示すように、タッチパネルセンサ３０のアクティブエリアＡａ１は、画像表示機構１２の表示領域Ａ１に対面する領域を占めている。一方、非アクティブエリアＡａ２は、矩形状のアクティブエリアＡａ１を四方から周状に取り囲むように、言い換えると、額縁状に形成されている。この非アクティブエリアＡａ２は、画像表示機構１２の非表示領域Ａ２に対面する領域に形成されている。
【００２８】
アクティブエリアＡａ１を介して画像表示機構１２の画像を観察することができるよう、基材シート３５は、透明または半透明となっている。基材シート３５は、可視光領域における透過率が８０％以上であることが好ましく、８４％以上であることがより好ましい。なお、基材シート３５の可視光透過率は、分光光度計（（株）島津製作所製「ＵＶ−３１００ＰＣ」、ＪＩＳＫ０１１５準拠品）を用いて測定波長３８０ｎｍ〜７８０ｎｍの範囲内で測定したときの、各波長における透過率の平均値として特定される。
【００２９】
基材シート３５は、例えば、誘電体として機能し得るガラスや樹脂フィルムから構成され得る。樹脂フィルムとしては、光学部材の基材として使用されている種々の樹脂フィルムを好適に用いることができる。一例として、複屈折性を有さない光学等方性のフィルム、典型的には、トリアセチルセルロースに代表されるセルロースエステルからなるフィルムを、基材シート３５として用いることができる。その一方で、複屈折性を有する光学等方性のフィルムも、基材シート３５として用いることができる。例えば、安価で安定性に優れたポリエチレンテレフタレート（ＰＥＴ）等のポリエステルフィルムを、基材シート３５として用いることができる。ポリエステルフィルムは、吸湿性が低く、高温多湿の環境化においても変形等が生じ難いといった利点を、有している。
【００３０】
次に、基材シート３５上に設けられたタッチパネルセンサ３０の第１電極４０及び第２電極４５について説明する。
【００３１】
図２に示すように、基材シート３５の一方の側（観察者側）の面上には、多数の第１電極４０が設けられている。また、基材シート３５の他方の側（画像表示機構１２の側）の面上には、多数の第２電極４５が設けられている。各電極４０，４５は、位置検出に用いられる検出電極４１，４６と、検出電極４１，４６に接続された取出電極（取出配線）４４，４９と、を有している。検出電極４１，４６は、パターンをなすようにしてアクティブエリアＡａ１内に配置されている。一方、取出電極４４，４９は、非アクティブエリアＡａ２内に配置されている。
【００３２】
取出電極４４，４９は、検出電極４１，４６の各々に対し、接触位置の検出方法に応じて一つまたは二つ設けられている。各取出電極４４，４９は、対応する検出電極４１，４６に接続されて配線を形成している。取出電極４４，４９は、基材シート３５の非アクティブエリアＡａ２内を、対応する検出電極４１，４６から基材シート３５の端縁まで延びている。そして、取出電極４４，４９の検出電極４１，４６とは反対側の端部に、端子部４４ａ，４９ａが形成されている。取出電極４４，４９は、その端子部４４ａ，４９ａにて、図示しない外部接続配線（例えば、ＦＰＣ）を介し、制御回路（図示せず）に接続される。
【００３３】
第１検出電極４１は、基材シート３５の一方の側の面上に所定のパターンで配置されている。また、第２検出電極４６は、基材シート３５の他方の側の面上に、第１検出電極４１とは異なるパターンで配置されている。図示された例において、第１検出電極４１は、ストライプ状に配列され、且つ、全体的な輪郭としてその配列方向に直交する方向に直線状に延びている。また、第２検出電極４６も、ストライプ状に配列され、且つ、全体的な輪郭としてその配列方向に直交する方向に直線状に延びている。第１検出電極４１の配列方向と第２検出電極４６の配列方向とは直交している。
【００３４】
検出電極４１，４６は、外部導体がタッチパネルセンサ３０に接近した際に生じる、電磁的な変化または静電容量の変化を検知するために設けられるものである。従って、検出電極４１，４６には、電磁的な変化または静電容量の変化に起因する電流を検知可能なレベルで流すことができる程度の導電性が求められる。このような検出電極４１，４６を構成するための材料として、優れた導電性を有する金属材料、例えば、金、銀、銅、白金、アルミニウム、クロム、モリブデン、ニッケル、チタン、パラジウム、インジウム、及び、これらの合金の一以上を用いることができる。
【００３５】
一方、第１検出電極４１及び第２検出電極４６をなす金属材料は、可視光に対して遮光性を有している。ただし、第１検出電極４１及び第２検出電極４６は、それぞれ、金属材料からなる導電体細線部（金属細線部）が隙間をあけて配置されてなる第１導電体パターン４２又は第２導電体パターン４７を有している。この導電体パターン４２，４７は、図１において、検出電極４１，４６が占める領域に広がっている。そして、導電体パターン４２，４７の開口率、すなわち、導電体パターン４２，４７が配置されている領域に対する、金属材料からなる導電体細線部が設けられていない領域の割合は、例えば９０％以上９９％以下に設定されている。また、金属材料からなる導電体細線部の線幅は、例えば１μｍ以上３０μｍ以下となっている。このため、導電体パターン４２，４７は、全体として透視性を確保している。したがって、金属材料を用いて導電性を確保された第１検出電極４１及び第２検出電極４６が、全体として透視性を呈するようになる。
【００３６】
なお、典型的な導電体パターン４２，４７として、導電体細線部が多数の開口領域を画成するメッシュパターンにて配置されてなる導電体メッシュを例示することができる。後述する図５〜図７に示された例および図８〜図１０に示された例においては、導電体パターン４２，４７がメッシュパターンにて形成されている。このメッシュパターンにおいて、開口領域のピッチは、例えば２００μｍ以上２０００μｍ以下とすることができる。そして、メッシュパターンをなす導電体パターン４２，４７は、二つの分岐点４２ａ，４７ａの間を延びて開口領域を画成する多数の接続要素４２ｂ，４７ｂから形成されている。すなわち、分岐点４２ａ，４７ａは、三つ以上の接続要素４２ｂ，４７ｂの一端が合流している点である。
【００３７】
ところで、背景技術の欄でも説明したように、多数の導電体細線部によって形成された導電体パターンを含むタッチパネルセンサ３０は、モアレ、ぎらつき、濃淡むらといった不具合を生じさせ得る。一方、本実施の形態によるタッチパネルセンサ３０においては、導電体パターン４２，４７の導電体細線部の配列に工夫が施され、モアレ、ぎらつき、濃淡むらといった不具合のすべてを同時に目立たなくすることができる。以下、導電体パターン４２，４７の導電体細線部への工夫について説明する。
【００３８】
なお、モアレは、第１検出電極４１をなす第１導電体パターン４２及び第２検出電極４６をなす第２導電体パターン４７を重ねて形成されるパターンと、他の部材の規則的なパターン（例えば、画像表示機構１２の画素の配列パターン）との干渉によって生じるとともに、各検出電極４２，４７によって形成されるパターンと、他の部材の規則的なパターンとの干渉によっても生じる。同様に、濃淡むらやぎらつきは、第１検出電極４１によって形成されるパターン及び第２検出電極４６によって形成されるパターンを重ねてなるパターンの局所的な不均一性によっても生じるし、また、各検出電極４１，４６によって形成されるパターンの局所的な不均一性によっても生じ得る。したがって、第１検出電極４１によって形成されるパターン及び第２検出電極４６によって形成されるパターンを重ねてなるパターンを工夫することが、モアレ、濃淡むら及びぎらつきのすべてを目立たなくさせる上で有効であるとともに、各電極４０，４５をなす検出電極４１，４６によって形成されるパターンのいずれか一以上を工夫することも、モアレ、濃淡むら及びぎらつきを目立たなくさせる上で有効である。
【００３９】
図５〜図７を主に参照して説明する以下の例では、第１検出電極４１の第１導電体パターン４２及び第２検出電極４６の第２導電体パターン４７が同様に形成され、両電極４１，４６の組み合わせパターンに起因するモアレ、濃淡むら及びぎらつきを効果的に目立たなくさせることができるとともに、各電極４１，４６のパターンに起因するモアレ、濃淡むら及びぎらつきを効果的に目立たなくさせることができる。ここで図５は、第１検出電極４１の第１導電体パターン４２を示す平面図であり、図６は、第２検出電極４６の第２導電体パターン４７を示す平面図である。また、図７は、図５の第１導電体パターン４２と図６の第２導電体パターン４７とを重ねて示す平面図である。
【００４０】
まず、図５を参照して、第１検出電極４１の第１導電体パターン４２について説明する。図５に示すように第１導電体パターン４２は、ｎ個の細線部群１ｇ，２ｇ，３ｇを含んでいる。ここで、ｎは２以上の自然数である。ｎ個の細線部群１ｇ，２ｇ，３ｇは、それぞれ、第１方向ｄｘに一定のピッチで配列され且つ第１方向ｄｘと交差する方向に延びる複数の第１導電体細線部ｘ１，ｘ２，ｘ３を含んでいる。各細線部群１ｇ，２ｇ，３ｇに含まれる複数の第１導電体細線部ｘ１，ｘ２，ｘ３は、第１方向ｄｘに沿って一定の配列ピッチで配列されている。ｎ個の細線部群１ｇ，２ｇ，３ｇにそれぞれ含まれる導電体細線部ｘ１，ｘ２，ｘ３が、第１方向ｄｘに順に配列されている。そして、異なる細線部群に含まれて第１方向ｄｘに隣り合う二つの第１導電体細線部の第１方向ｄｘに沿った配置間隔は、一定ではなく変化することがある。すなわち、第１導電体パターン４２に含まれ且つ第１方向ｄｘに配列された多数の第１導電体細線部の第１方向ｄｘへの配列ピッチは一定ではない。
【００４１】
言い換えると、第１導電体パターン４２は、第１方向ｄｘに一定ではないピッチで配列された多数の第１導電体細線部ｘ１，ｘ２，ｘ３を有している。多数の第１導電体細線部ｘ１，ｘ２，ｘ３は、第１方向ｄｘに沿った配置順に応じて、ｎ個の細線部群１ｇ，２ｇ，３ｇに順に振り分けられている。そして、各群の細線部群１ｇ，２ｇ，３ｇにおいて、当該細線部群１ｇ，２ｇ，３ｇに属する第１導電体細線部ｘ１，ｘ２，ｘ３の第１方向ｄｘに沿った配列ピッチは一定となっている。
【００４２】
図５に示された例において、第１導電体パターン４２は、第１〜第３の導電体細線部群１ｇ，２ｇ，３ｇを含んでいる。図５において長点線で示された第１の導電体細線部群１ｇは、第１方向ｄｘに配列された複数の第１導電体細線部ｘ１を含んでいる。図５において短点線で示された第２の導電体細線部群２ｇは、第１方向ｄｘに配列された複数の第１導電体細線部ｘ２を含んでいる。図５において実線で示された第３の導電体細線部群３ｇは、第１方向ｄｘに配列された複数の第１導電体細線部ｘ３を含んでいる。第１の導電体細線部群１ｇに含まれる第１導電体細線部ｘ１の第１方向ｄｘに沿った配列ピッチｐｘ１は一定である。また、第２の導電体細線部群２ｇに含まれる第１導電体細線部ｘ２の第１方向ｄｘに沿った配列ピッチｐｘ２も一定である。さらに、第３の導電体細線部群３ｇに含まれる第１導電体細線部ｘ３の第１方向ｄｘに沿った配列ピッチｐｘ３も一定である。
【００４３】
なお、図５〜図７、並びに、後述する図８〜図１０においては、区別を明確にするために線種を変えて導電体細線部を図示している。したがって、導電体細線部を示す点線等は、断線を意味するものではない。
【００４４】
加えて、第１の導電体細線部群１ｇ、第２の導電体細線部群２ｇ及び第３の導電体細線部群３ｇの間で、第１導電体細線部ｘ１，ｘ２、ｘ３の第１方向ｄｘに沿った配列ピッチｐｘ１，ｐｘ２，ｐｘ３は互いに同一となっている。この結果、第１検出電極４１に含まれる多数の第１導電体細線部ｘ１，ｘ２，ｘ３は、ｎ個（図５に示された例では３個）の第１導電体細線部ｘ１，ｘ２，ｘ３を一定のピッチＰｘで第１方向ｄｘに配列してなる周期性を持つようになる。すなわち、第１検出電極４１に含まれる多数の第１導電体細線部ｘ１，ｘ２，ｘ３は、第１方向ｄｘに沿って周期性を示す。第１検出電極４１に含まれる多数の第１導電体細線部ｘ１，ｘ２，ｘ３の第１方向ｄｘに沿った周期Ｐｘは、各導電体細線部群１ｇ，２ｇ，３ｇに属する第１導電体細線部ｘ１，ｘ２，ｘ３の配列ピッチｐｘ１，ｐｘ２，ｐｘ３と同一となる。
【００４５】
その一方で、第１方向ｄｘに隣り合い且つ異なる細線部群に属する二つの第１導電体細線部ｘ１，ｘ２，ｘ３の第１方向ｄｘに沿った配置間隔は、一定ではない。図示された例において、第１の導電体細線部群１ｇ及び第２の導電体細線部群２ｇにそれぞれ属し且つ第１方向ｄｘに隣り合う二つの第１導電体細線部ｘ１，ｘ２は、上述した、第１検出電極４１に含まれる多数の第１導電体細線部ｘ１，ｘ２，ｘ３が全体として第１方向ｄｘに示す周期性の長さＰｘをｎ等分、図示された例では三等分した長さＰｘ／３だけ離間している。
【００４６】
一方、第３の導電体細線部群３ｇに属する第１導電体細線部ｘ３は、他の群１ｇ，２ｇに属する第１導電体細線部ｘ１，ｘ２から第１方向ｄｘに沿って長さＰｘ／３だけ離間した位置Ｐｖｘ（図５における細点線の位置）には存在しない。第３の導電体細線部群３ｇに属する第１導電体細線部ｘ３は、この位置Ｐｖｘ（図５における細点線の位置）からＰ’だけ第１方向ｄｘにおける一側（図５における右側）にずれた位置に配置されている。この結果、第２の導電体細線部群２ｇ及び第３の導電体細線部群３ｇにそれぞれ属し且つ第１方向ｄｘに隣り合う二つの第１導電体細線部ｘ２，ｘ３は、上述した、第１検出電極４１に含まれる多数の第１導電体細線部ｘ１，ｘ２，ｘ３が全体として第１方向ｄｘに示す周期性の長さＰｘをｎ等分、すなわち三等分した長さＰｘ／３よりもＰ’だけ長い長さ（Ｐｘ／３＋Ｐ’）分、離間している。同様に、第３の導電体細線部群３ｇ及び第１の導電体細線部群１ｇにそれぞれ属し且つ第１方向ｄｘに隣り合う二つの第１導電体細線部ｘ３，ｘ１は、上述した、第１検出電極４１に含まれる多数の第１導電体細線部ｘ１，ｘ２，ｘ３が全体として第１方向ｄｘに示す周期性の長さＰｘをｎ等分、図示された例では三等分した長さＰｘ／３よりもＰ’だけ短い長さ（Ｐｘ／３−Ｐ’）分、離間している。
【００４７】
以上のことから、本実施の形態では、第１電極４０の第１検出電極４１をなす第１導電体パターン４２は、第１方向ｄｘに沿って、長さＰｘで周期性を有している。その一方で、第１導電体パターン４２は、第１方向ｄｘに沿った長さＰｘ内の領域において不規則なパターンを形成している。言い換えると、ｎ個の細線部群を含む第１導電体パターン４２は、第１方向ｄｘにおいて、長さＰｘで周期性を有しているが、長さＰｘ／ｎでは周期性を有していない。
【００４８】
また本実施の形態において、第１導電体パターン４２は、ｍ個の細線部群４ｇ，５ｇ，６ｇを含んでいる。ここで、ｍは２以上の自然数である。ｍ個の細線部群４ｇ，５ｇ，６ｇは、それぞれ、第２方向ｄｙに一定のピッチで配列され且つ第２方向ｄｙと交差する方向に延びる複数の第２導電体細線部ｙ４，ｙ５，ｙ６を含んでいる。各細線部群４ｇ，５ｇ，６ｇに含まれる複数の第２導電体細線部ｙ４，ｙ５，ｙ６は、第２方向ｄｙに沿って一定の配列ピッチで配列されている。ｍ個の細線部群４ｇ，５ｇ，６ｇにそれぞれ含まれる導電体細線部ｙ４，ｙ５，ｙ６が、第２方向ｄｙに順に配列されている。そして、異なる細線部群に含まれて第２方向ｄｙに隣り合う二つの第２導電体細線部の第２方向ｄｙに沿った配置間隔は、一定ではなく変化することがある。すなわち、第２導電体パターン４７に含まれ且つ第２方向ｄｙに配列された多数の第１導電体細線部の第２方向ｄｙへの配列ピッチは一定ではない。
【００４９】
言い換えると、第１導電体パターン４２は、第２方向ｄｙに一定ではないピッチで配列された多数の第２導電体細線部ｙ１，ｙ２，ｙ３を有している。多数の第２導電体細線部ｙ４，ｙ５，ｙ６は、第２方向ｄｙに沿った配置順に応じて、ｍ個の細線部群４ｇ，５ｇ，６ｇに順に振り分けられている。そして、各群の細線部群４ｇ，５ｇ，６ｇにおいて、当該細線部群４ｇ，５ｇ，６ｇに属する第２導電体細線部ｙ４，ｙ５，ｙ６の第２方向ｄｙに沿った配列ピッチは一定となっている。
【００５０】
図５に示された例において、第１導電体パターン４２は、第４〜第６の導電体細線部群４ｇ，５ｇ，６ｇを含んでいる。図５において長点線で示された第４の導電体細線部群４ｇは、第２方向ｄｙに配列された複数の第２導電体細線部ｙ４を含んでいる。図５において短点線で示された第５の導電体細線部群５ｇは、第２方向ｄｙに配列された複数の第２導電体細線部ｙ５を含んでいる。図５において実線で示された第６の導電体細線部群６ｇは、第２方向ｄｙに配列された複数の第２導電体細線部ｙ６を含んでいる。第４の導電体細線部群４ｇに含まれる第２導電体細線部ｙ４の第２方向ｄｙに沿った配列ピッチｐｙ４は一定である。また、第５の導電体細線部群５ｇに含まれる第２導電体細線部ｙ５の第２方向ｄｙに沿った配列ピッチｐｙ５も一定である。さらに、第６の導電体細線部群６ｇに含まれる第２導電体細線部ｙ６の第２方向ｄｙに沿った配列ピッチｐｙ６も一定である。
【００５１】
加えて、第４の導電体細線部群４ｇ、第５の導電体細線部群５ｇ及び第６の導電体細線部群６ｇの間で、第２導電体細線部ｙ１，ｙ２、ｙ３の第２方向ｄｙに沿った配列ピッチｐｙ１，ｐｙ２，ｐｙ３は互いに同一となっている。この結果、第１検出電極４１に含まれる多数の第２導電体細線部ｙ１，ｙ２，ｙ３は、ｍ個（図５に示された例では３個）の第２導電体細線部ｙ１，ｙ２，ｙ３を一定のピッチＰｙで第２方向ｄｙに配列してなる周期性を持つようになる。すなわち、第１検出電極４１に含まれる多数の第２導電体細線部ｙ１，ｙ２，ｙ３は、第２方向ｄｙに沿って周期性を示す。第１検出電極４１に含まれる多数の第２導電体細線部ｙ１，ｙ２，ｙ３の第２方向ｄｙに沿った周期Ｐｙは、各導電体細線部群４ｇ，５ｇ，６ｇに属する第２導電体細線部ｙ１，ｙ２，ｙ３の配列ピッチｐｙ１，ｐｙ２，ｐｙ３と同一となる。
【００５２】
その一方で、第２方向ｄｙに隣り合い且つ異なる細線部群に属する二つの第２導電体細線部ｙ１，ｙ２，ｙ３の第２方向ｄｙに沿った配置間隔は、一定ではない。図示された例において、第４の導電体細線部群４ｇ及び第５の導電体細線部群５ｇにそれぞれ属し且つ第２方向ｄｙに隣り合う二つの第２導電体細線部ｙ４，ｙ５は、上述した、第１検出電極４１に含まれる多数の第２導電体細線部ｙ４，ｙ５，ｙ６が全体として第２方向ｄｙに示す周期性の長さＰｙをｍ等分、図示された例では三等分した長さＰｙ／３だけ離間している。
【００５３】
一方、第６の導電体細線部群６ｇに属する第２導電体細線部ｙ６は、他の群４ｇ，５ｇに属する第２導電体細線部ｙ４，ｙ５から第２方向ｄｙに沿って長さＰｙ／３だけ離間した位置Ｐｖｙ（図５における細点線の位置）には存在しない。第６の導電体細線部群６ｇに属する第２導電体細線部ｙ６は、この位置Ｐｖｙ（図５における細点線の位置）からＰ’だけ第２方向ｄｙにおける一側（図５における下側）にずれた位置に配置されている。この結果、第５の導電体細線部群５ｇ及び第６の導電体細線部群６ｇにそれぞれ属し且つ第２方向ｄｙに隣り合う二つの第２導電体細線部ｙ５，ｙ６は、上述した、第１検出電極４１に含まれる多数の第２導電体細線部ｙ４，ｙ５，ｙ６が全体として第２方向ｄｙに示す周期性の長さＰｙをｍ等分、すなわち三等分した長さＰｙ／３よりもＰ’だけ長い長さ（Ｐｙ／３＋Ｐ’）分、離間している。同様に、第６の導電体細線部群６ｇ及び第４の導電体細線部群４ｇにそれぞれ属し且つ第２方向ｄｙに隣り合う二つの第２導電体細線部ｙ６，ｙ４は、上述した、第１検出電極４１に含まれる多数の第２導電体細線部ｙ４，ｙ５，ｙ６が全体として第２方向ｄｙに示す周期性の長さＰｙをｍ等分、図示された例では三等分した長さＰｙ／３よりもＰ’だけ短い長さ（Ｐｙ／３−Ｐ’）分、離間している。
【００５４】
以上のことから、本実施の形態では、第１電極４０の第１検出電極４１をなす第１導電体パターン４２は、第２方向ｄｙに沿って、長さＰｙで周期性を有している。その一方で、第１導電体パターン４２は、第２方向ｄｙに沿った長さＰｙ内の領域において不規則なパターンを形成している。言い換えると、ｍ個の細線部群を含む第１導電体パターン４２は、第２方向ｄｙにおいて、長さＰｙで周期性を有しているが、長さＰｙ／ｍでは周期性を有していない。
【００５５】
以上のような第１導電体パターン４２は、第１方向ｄｘに沿って長さＰｘを有し且つ第２方向ｄｙに沿って長さＰｙを有する単位領域ＵＳ、例えば図５における斜線を付した単位領域ＵＳが、第１方向ｄｘ及び第２方向ｄｙの両方に繰り返し配列されてなる周期性を有するようになる。しかしながら、単位領域ＵＳ内における導電体細線部の配列は、第１方向ｄｘ及び第２方向ｄｙのいずれの方向にも、不規則となっている。つまり、第１検出電極４１をなす第１導電体パターン４２は、第１方向ｄｘにおいて、長さＰｘで周期性を有しているが、長さＰｘ／ｎでは周期性を有しておらず、第２方向ｄｙにおいて、長さＰｙで周期性を有しているが、長さＰｙ／ｍでは周期性を有していない。本件発明者らが、鋭意実験を繰り返したところ、このような第１導電体パターン４２は、モアレ、濃淡むら及びぎらつきのすべてを効果的に目立たなくさせることができた。
【００５６】
一般的に、導電体パターンを不規則化することが、モアレの不可視化に有効であると考えられてきた。しかしながら、本件発明者らの研究によれば、単に導電体パターンをなす導電体細線部（金属導線）の形状及び配列ピッチを不規則化したとしても、常に、モアレを十分に目立たなくさせることはできなかった。また、導電体パターンの導電体細線部の配列の規則性を大きく崩すことによって、すなわち、導電体細線部を不規則的に配列することによってモアレを目立たなくすることができたとしても、導電体細線部の密度バラツキに起因した濃淡のむらやぎらつきが視認される可能性もある。そして、背景技術の節で説明したように、モアレ、濃淡むら及びぎらつきの不可視化対策が種々研究されてきたが、モアレ、濃淡むら及びぎらつきのすべてを同時に効果的に目立たなくさせるには至っていなかった。
【００５７】
この点について、本件発明者は鋭意検討を重ねた結果として、導電体細線部のパターンが持つ周期性の長さと、導電体細線部を含むタッチパネルセンサ３０と重ねられる部材が持つ周期性の長さの関係に着目した。本件発明者らが確認したところ、二つの部材が持つ周期性の長さの差が大きく異なると、モアレは目立たなくなった。そして、本件発明者は、タッチパネルセンサ３０に含まれる導電体細線部の配列がミクロ的な観察において不規則となり、マクロ的な観察において規則性を有するようにすることで、モアレ、濃淡むら及びぎらつきのすべてを同時に効果的に目立たなくさせることを見出した。
【００５８】
とりわけ、本実施の形態によれば、第１導電体パターン４２が周期性を示す長さＰｘ，Ｐｙは、第１導電体パターン４２に含まれる導電体細線部群の数量（ｎ，ｍ）によって、パターンの粗密に大きな影響を与えることなく調整することできる。とりわけ画素の配列ピッチは高精細であることから、第１導電体パターン４２が周期性を示す長さＰｘ，Ｐｙを当該画素配列に対して格段（数倍〜数十倍）に大きくすることが可能である。すなわち、画像表示機構１２との間でのモアレを極めて効果的に目立たなくさせることができる。その一方で、一つの単位領域ＵＳ内における、導電体細線部の配列の不規則性の程度は高い自由度で調整することができる。加えて、このような第１導電体パターン４２のパターン設計は、容易に実施することができる。
【００５９】
この結果として、第１検出電極４１をなす第１導電体パターン４２の不均一性に起因する濃淡むら及びぎらつきを効果的に目立たなくさせることができると同時に、タッチパネルセンサ３０と積層される他の部材の周期性と第１導電体パターン４２の周期性との干渉に起因するモアレも効果的に目立たなくさせることができる。このような効果は、規則性の程度のみを調整することにより、モアレの発生と、濃淡むら及びぎらつきの発生の折り合いを図ることしかなされていなかった従来の技術水準から予測し得る範囲を超える効果であり、且つ、顕著または異質な効果でもある。
【００６０】
なお、第１導電体パターン４２において、第１方向ｄｘに配列された第１導電体細線部ｘ１，ｘ２，ｘ３の構成は、第２方向ｄｙに配列された第２導電体細線部ｙ４，ｙ５，ｙ６の構成から独立して、設計され得る。すなわち、第１導電体細線部ｘ１，ｘ２，ｘ３及び第２導電体細線部ｙ４，ｙ５，ｙ６の間で、導電体細線部群の数ｎ，ｍ、各群に属する導電体細線部のピッチｐｘ１，ｐｘ２，ｐｘ３，ｐｙ４，ｐｙ５，ｐｙ６、第１導電体細線部及び第２導電体細線部の全体として周期性の長さＰｘ，Ｐｙを、高い自由度で設計することができる。
【００６１】
図示された例において、第１方向ｄｘに配列された第１導電体細線部ｘ１，ｘ２，ｘ３は、第２方向ｄｙに配列された第２導電体細線部ｙ４，ｙ５，ｙ６と回転対称となっている。より具体的には、図示された例において、第１導電体細線部ｘ１，ｘ２，ｘ３を、時計回り方向に９０°回転させると、第２導電体細線部ｙ４，ｙ５，ｙ６と一致する。このような第１導電体パターン４２は、パターン設計を容易化することができる点において好ましい。
【００６２】
また、図５に示された例において、第１導電体細線部ｘ１，ｘ２，ｘ３は、第１方向ｄｘに直交する方向、すなわち第２方向ｄｙに、直線状に延びている。一方、第２導電体細線部ｙ４，ｙ５，ｙ６は、第１方向ｄｘに直交する第２方向ｄｙに配列されている。そして、第２導電体細線部ｙ４，ｙ５，ｙ６は、第２方向ｄｙに直交する第１方向ｄｘに直線状に延びている。しかしながら、第１導電体細線部ｘ１，ｘ２，ｘ３の配列方向および第２導電体細線部ｙ４，ｙ５，ｙ６の配列方向が、直交している必要はない。さらに、第１導電体細線部ｘ１，ｘ２，ｘ３の長手方向および第２導電体細線部ｙ４，ｙ５，ｙ６の長手方向が、直交している必要もない。加えて、第１導電体細線部ｘ１，ｘ２，ｘ３及び第２導電体細線部ｙ４，ｙ５，ｙ６は、直線状に延びている必要はなく、折れ線状または波線状のパターンで、その長手方向と非平行な方向に振幅を有する、とりわけその長手方向に直交する方向に振幅を有するようにして延びていてもよい。
【００６３】
次に、第２検出電極４６の第２導電体パターン４７について説明する。図６に示すように、第２導電体パターン４７は、上述した第１導電体パターン４２と同様に形成することができる。すなわち、第２導電体パターン４７は、ｋ個の細線部群７ｇ，８ｇ，９ｇを含んでいる。ここで、ｋは２以上の自然数である。ｋ個の細線部群７ｇ，８ｇ，９ｇは、それぞれ、第１方向ｄｘに一定のピッチで配列され且つ第１方向ｄｘと交差する方向に延びる複数の第３導電体細線部ｘ７，ｘ８，ｘ９を含んでいる。各細線部群７ｇ，８ｇ，９ｇに含まれる複数の第３導電体細線部ｘ７，ｘ８，ｘ９は、第１方向ｄｘに沿って一定の配列ピッチで配列されている。ｋ個の細線部群７ｇ，８ｇ，９ｇにそれぞれ含まれる導電体細線部ｘ７，ｘ８，ｘ９が、第１方向ｄｘに順に配列されている。そして、異なる細線部群に含まれて第１方向ｄｘに隣り合う二つの第３導電体細線部の第１方向ｄｘに沿った配置間隔は、一定ではなく変化することがある。
【００６４】
言い換えると、第２導電体パターン４７は、第１方向ｄｘに一定ではないピッチで配列された多数の第３導電体細線部ｘ７，ｘ８，ｘ９を有している。多数の第３導電体細線部ｘ７，ｘ８，ｘ９は、第１方向ｄｘに沿った配置順に応じて、ｋ個の細線部群７ｇ，８ｇ，９ｇに順に振り分けられている。そして、各群の細線部群７ｇ，８ｇ，９ｇにおいて、当該細線部群７ｇ，８ｇ，９ｇに属する第３導電体細線部ｘ７，ｘ８，ｘ９の第１方向ｄｘに沿った配列ピッチは一定となっている。
【００６５】
とりわけ図示された例において、そして、第２導電体パターン４７のｋ個の細線部群７ｇ，８ｇ，９ｇは、第１導電体パターン４２の第１〜第３の導電体細線部群１ｇ，２ｇ，３ｇと同一の構成を有している。つまり、第２導電体パターン４７は、第７〜第９の導電体細線部群７ｇ，８ｇ，９ｇを含んでいる。そして、第２導電体パターン４７の第７の導電体細線部群７ｇに含まれる第３導電体細線部ｘ７は、第１導電体パターン４２の第１導電体細線部ｘ１と同一の構成を有している。また、第２導電体パターン４７の第８の導電体細線部群８ｇに含まれる第３導電体細線部ｘ８は、第１導電体パターン４２の第１導電体細線部ｘ２と同一の構成を有している。さらに、第２導電体パターン４７の第９の導電体細線部群９ｇに含まれる第３導電体細線部ｘ９は、第１導電体パターン４２の第１導電体細線部ｘ３と同一の構成を有している。
【００６６】
したがって、図示された第１電極４０の第１検出電極４１をなす第１導電体パターン４２は、第１方向ｄｘに沿って、長さＰｘで周期性を有している。その一方で、第１導電体パターン４２は、第１方向ｄｘに沿った長さＰｘ内の領域において不規則なパターンを形成している。言い換えると、ｋ個の細線部群を含む第１導電体パターン４２は、第１方向ｄｘにおいて、長さＰｘで周期性を有しているが、長さＰｘ／ｋでは周期性を有していない。
【００６７】
また、第２導電体パターン４７は、ｓ個の細線部群１０ｇ，１１ｇ，１２ｇを含んでいる。ここで、ｓは２以上の自然数である。ｓ個の細線部群１０ｇ，１１ｇ，１２ｇは、それぞれ、第２方向ｄｙに一定のピッチで配列され且つ第２方向ｄｙと交差する方向に延びる複数の第４導電体細線部ｙ１０，ｙ１１，ｙ１２を含んでいる。各細線部群１０ｇ，１１ｇ，１２ｇに含まれる複数の第２導電体細線部ｙ１０，ｙ１１，ｙ１２は、第２方向ｄｙに沿って一定の配列ピッチで配列されている。ｓ個の細線部群１０ｇ，１１ｇ，１２ｇにそれぞれ含まれる導電体細線部ｙ１０，ｙ１１，ｙ１２が、第２方向ｄｙに順に配列されている。そして、異なる細線部群に含まれて第２方向ｄｙに隣り合う二つの第２導電体細線部の第２方向ｄｙに沿った配置間隔は、一定ではなく変化することがある。
【００６８】
言い換えると、第２導電体パターン４７は、第２方向ｄｙに一定ではないピッチで配列された多数の第２導電体細線部ｙ１０，ｙ１１，ｙ１２を有している。多数の第２導電体細線部ｙ１０，ｙ１１，ｙ１２は、第２方向ｄｙに沿った配置順に応じて、ｓ個の細線部群１０ｇ，１１ｇ，１２ｇに順に振り分けられている。そして、各群の細線部群１０ｇ，１１ｇ，１２ｇにおいて、当該細線部群１０ｇ，１１ｇ，１２ｇに含まれる第２導電体細線部ｙ１０，ｙ１１，ｙ１２の第２方向ｄｙに沿った配列ピッチは一定となっている。
【００６９】
とりわけ図示された例において、そして、第２導電体パターン４７のｓ個の細線部群１０ｇ，１１ｇ，１２ｇは、第１導電体パターン４２の第４〜第６の導電体細線部群４ｇ，５ｇ，６ｇと同一の構成を有している。つまり、第２導電体パターン４７は、第１０〜第１２の導電体細線部群１０ｇ，１１ｇ，１２ｇを含んでいる。そして、第２導電体パターン４７の第１０の導電体細線部群１０ｇに含まれる第４導電体細線部ｙ１０は、第１導電体パターン４２の第２導電体細線部ｙ４と同一の構成を有している。また、第２導電体パターン４７の第１１の導電体細線部群１１ｇに含まれる第４導電体細線部ｙ１１は、第１導電体パターン４２の第２導電体細線部ｙ５と同一の構成を有している。さらに、第２導電体パターン４７の第１２の導電体細線部群１２ｇに含まれる第４導電体細線部ｙ１２は、第１導電体パターン４２の第２導電体細線部ｙ６と同一の構成を有している。
【００７０】
したがって、図示された第２電極４５の第２検出電極４６をなす第２導電体パターン４７は、第２方向ｄｙに沿って、長さＰｙで周期性を有している。その一方で、第２導電体パターン４７は、第２方向ｄｙに沿った長さＰｙ内の領域において不規則なパターンを形成している。言い換えると、ｓ個の細線部群を含む第２導電体パターン４７は、第２方向ｄｙにおいて、長さＰｙで周期性を有しているが、長さＰｙ／ｓでは周期性を有していない。
【００７１】
以上のような第２導電体パターン４７は、第１方向ｄｘに沿って長さＰｘを有し且つ第２方向ｄｙに沿って長さＰｙを有する単位領域ＵＳ、例えば図６における斜線を付した単位領域ＵＳが、第１方向ｄｘ及び第２方向ｄｙの両方に繰り返し配列されてなる周期性を有するようになる。しかしながら、単位領域ＵＳ内における導電体細線部の配列は、第１方向ｄｘ及び第２方向ｄｙのいずれの方向にも、不規則となっている。つまり、第２検出電極４６をなす第２導電体パターン４７は、第１方向ｄｘにおいて、長さＰｘで周期性を有しているが、長さＰｘ／ｋでは周期性を有しておらず、第２方向ｄｙにおいて、長さＰｙで周期性を有しているが、長さＰｙ／ｓでは周期性を有していない。この結果として、上述した第１検出電極４１の第１導電体パターン４２と同様に、第２検出電極４６をなす第２導電体パターン４７の不均一性に起因する濃淡むら及びぎらつきを効果的に目立たなくさせることができると同時に、タッチパネルセンサ３０と積層される他の部材の周期性と第２導電体パターン４７の周期性との干渉に起因するモアレも効果的に目立たなくさせることができる。
【００７２】
ところで、タッチパネルセンサ３０において、第１電極４０及び第２電極４５は重ねて配置されている。図７は、第１電極４０の第１導電体パターン４２と第２電極４５の第２導電体パターン４７とを重ね合わせた状態にて示している。図７に示された例において、第１導電体パターン４２及び第２導電体パターン４７は、第１方向ｄｘに沿って、長さＰｘ／（ｎ×２）だけずらして配置されている。また、図７に示された例において、第１導電体パターン４２及び第２導電体パターン４７は、第２方向ｄｙに沿って、長さＰｙ／（ｎ×２）だけずらして配置されている。
【００７３】
この結果として、図６に示された第１導電体パターン４２及び第２導電体パターン４７を重ね合わせた重畳導電体パターン３３は、ｎ＋ｋ個の細線部群１ｇ，２ｇ，３ｇ，７ｇ，８ｇ，９ｇを含んでいる。ここで、ｎ及びｋは互いに等しい２以上の自然数である。ｎ＋ｋ個の細線部群１ｇ，２ｇ，３ｇ，７ｇ，８ｇ，９ｇは、それぞれ、第１方向ｄｘに一定のピッチで配列され且つ第１方向ｄｘと交差する方向に延びる複数の導電体細線部ｘ１，ｘ２，ｘ３，ｘ７，ｘ８，ｘ９を含んでいる。各細線部群１ｇ，２ｇ，３ｇ，７ｇ，８ｇ，９ｇに含まれる複数の導電体細線部ｘ１，ｘ２，ｘ３，ｘ７，ｘ８，ｘ９は、第１方向ｄｘに沿って一定の配列ピッチで配列されている。ｎ＋ｋ個の細線部群にそれぞれ含まれる導電体細線部が、第１方向ｄｘに順に配列されている。そして、異なる細線部群に含まれて第１方向ｄｘに隣り合う二つの第３導電体細線部の第１方向ｄｘに沿った配置間隔は、一定ではなく変化することがある。
【００７４】
したがって、図７に示された重畳導電体パターン３３は、１方向ｄｘに沿って、長さＰｘで周期性を有している。その一方で、重畳導電体パターン３３は、第１方向ｄｘに沿った長さＰｘ内の領域において不規則なパターンを形成している。言い換えると、ｎ＋ｋ個の細線部群を含む重畳導電体パターン３３は、第１方向ｄｘにおいて、長さＰｘで周期性を有しているが、長さＰｘ／（ｎ＋ｋ）では周期性を有していない。
【００７５】
同様に、図６に示された重畳導電体パターン３３は、ｍ＋ｓ個の細線部群４ｇ，５ｇ，６ｇ，１０ｇ，１１ｇ，１２ｇを含んでいる。ここで、ｍ及びｓは互いに等しい２以上の自然数である。ｍ＋ｓ個の細線部群４ｇ，５ｇ，６ｇ，１０ｇ，１１ｇ，１２ｇは、それぞれ、第２方向ｄｙに一定のピッチで配列され且つ第２方向ｄｙと交差する方向に延びる複数の第４導電体細線部ｙ４，ｙ５，ｙ６，ｙ１０，ｙ１１，ｙ１２を含んでいる。各細線部群４ｇ，５ｇ，６ｇ，１０ｇ，１１ｇ，１２ｇに含まれる複数の第４導電体細線部ｙ４，ｙ５，ｙ６，ｙ１０，ｙ１１，ｙ１２は、第２方向ｄｙに沿って一定の配列ピッチで配列されている。ｍ＋ｓ個の細線部群にそれぞれ含まれる導電体細線部が、第２方向ｄｙに順に配列されている。そして、異なる細線部群に含まれて第２方向ｄｙに隣り合う二つの第２導電体細線部の第２方向ｄｙに沿った配置間隔は、一定ではなく変化することがある。
【００７６】
したがって、図７に示された重畳導電体パターン３３は、第２方向ｄｙに沿って、長さＰｙで周期性を有している。その一方で、重畳導電体パターン３３は、第２方向ｄｙに沿った長さＰｙ内の領域において不規則なパターンを形成している。言い換えると、ｍ＋ｓ個の細線部群を含む重畳導電体パターン３３は、第２方向ｄｙにおいて、長さＰｙで周期性を有しているが、長さＰｙ／（ｍ＋ｓ）では周期性を有していない。
【００７７】
すなわち、第１導電体パターン４２及び第２導電体パターン４７を重ね合わせた重畳導電体パターン３３は、第１方向ｄｘに沿って長さＰｘを有し且つ第２方向ｄｙに沿って長さＰｙを有する単位領域ＵＳ、例えば図７における斜線を付した単位領域ＵＳが、第１方向ｄｘ及び第２方向ｄｙの両方に繰り返し配列されてなる周期性を有するようになる。しかしながら、単位領域ＵＳ内における導電体細線部の配列は、第１方向ｄｘ及び第２方向ｄｙのいずれの方向にも、不規則となっている。つまり、重畳導電体パターン３３は、第１方向ｄｘにおいて、長さＰｘで周期性を有しているが、長さＰｘ／（ｎ＋ｋ）では周期性を有しておらず、第２方向ｄｙにおいて、長さＰｙで周期性を有しているが、長さＰｙ／（ｍ＋ｓ）では周期性を有していない。この結果として、重畳導電体パターン３３の不均一性に起因する濃淡むら及びぎらつきを効果的に目立たなくさせることができると同時に、タッチパネルセンサ３０と積層される他の部材の周期性と重畳導電体パターン３３の周期性との干渉に起因するモアレも効果的に目立たなくさせることができる。
【００７８】
以上のような本実施の形態によるタッチパネルセンサ３０では、第１方向ｄｘに一定ピッチで配列され且つ第１方向ｄｘと交差する方向に延びる複数の導電体細線部をそれぞれ含むｎ個の細線部群を有している。ここでｎは、２以上の自然数である。ｎ個の細線部群にそれぞれ含まれる導電体細線部は、第１方向ｄｘに順に配列されている。異なる細線部群に含まれて第１方向ｄｘに隣り合う二つの導電体細線部の第１方向ｄｘに沿った配置間隔は、一定ではない。このようなタッチパネルセンサ３０によれば、濃淡むら及びぎらつきを引き起こさないように導電体細線部の配置の均一性を維持しつつ、その一方でモアレを十分に不可視化できる程度に、導電体細線部の配置をばらつかせることができる。結果として、得られたタッチパネルセンサ３０を用いた際に、モアレ、濃淡むら、ぎらつきを効果的に目立たなくさせることができる。
【００７９】
なお、上述した実施の形態に対して様々な変更を加えることが可能である。以下、適宜図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００８０】
上述した実施の形態において、第１電極４０の第１検出電極４１をなす第１導電体パターン４２と、第２電極４５の第２検出電極４６をなす第２導電体パターン４７が、共に、所定方向に一定ピッチで配列され且つ所定方向と交差する方向に延びる複数の導電体細線部をそれぞれ含む二以上の細線部群を有し、二以上の細線部群にそれぞれ含まれる導電体細線部が所定方向に順に配列され、異なる細線部群に含まれて所定方向に隣り合う二つの導電体細線部の所定方向に沿った配置間隔は一定ではないようになっている例を示した。このようなタッチパネルセンサ３０では、第１導電体パターン４２に起因したモアレ、濃淡むら、ぎらつきを効果的に目立たなくさせることができ、且つ、第２導電体パターン４７に起因したモアレ、濃淡むら、ぎらつきを効果的に目立たなくさせることができる。結果として、タッチパネルセンサ３０を用いた際に生じ得るモアレ、濃淡むら、ぎらつきを効果的に目立たなくさせることができる。しかしながら、上述した実施の形態に限られず、第１導電体パターン４２及び第２導電体パターン４７を重ね合わせた重畳導電体パターン３３が、所定の条件を満たせば、タッチパネルセンサ３０を用いた際のモアレ、濃淡むら、ぎらつきを効果的に目立たなくさせることができる。すなわち、第１導電体パターン４２及び第２導電体パターン４７の両方が、それぞれ独立して、所定の条件を満たす必要はない。
【００８１】
図８に示された重畳導電体パターン３３は、第１方向ｄａに一定ピッチで配列され且つ第１方向ｄａと交差する方向に延びる複数の導電体細線部をそれぞれ含む二以上の細線部群１ｇ，２ｇ，５ｇ，６ｇを有している。より具体的には、図８に示された例において、重畳導電体パターン３３は、第１方向ｄａに一定ピッチで配列され且つ第１方向ｄａと交差する方向に延びる第１、第２、第５、第６の細線部群１ｇ，２ｇ，５ｇ，６ｇを含んでいる。四つの細線部群１ｇ，２ｇ，５ｇ，６ｇにそれぞれ含まれる導電体細線部ａ１，ａ２，ａ５，ａ６が、第１方向ｄａに順に配列されている。また、各細線部群１ｇ，２ｇ，５ｇ，６ｇに含まれる複数の導電体細線部ａ１，ａ２，ａ５，ａ６の第１方向ｄａへの配列ピッチは、四つの細線部群間で同一となっている。したがって、重畳導電体パターン３３は、全体として、各細線部群１ｇ，２ｇ，５ｇ，６ｇに含まれる複数の導電体細線部ａ１，ａ２，ａ５，ａ６の第１方向ｄａへの配列ピッチと同一長さＰａにて、第１方向ｄａに周期性を示すようになる。
【００８２】
また、図８に示された例では、三つの細線部群１ｇ，５ｇ，６ｇに含まれる導電体細線部ａ１，ａ５，ａ６は、第１方向ｄａに長さＰａ／４だけずれて位置している。その一方で、第２の細線部群２ｇに含まれる導電体細線部ａ２は、他の細線部群に属し且つ隣接する導電体細線部から長さＰａ／４だけずれた位置Ｐｖａ（図８における細点線の位置）には存在しない。このため、異なる細線部群に含まれて第１方向ｄａに隣り合う二つの導電体細線部ａ１，ａ２，ａ５，ａ６の第１方向ｄａに沿った配置間隔は、一定ではなく変化している。
【００８３】
また、図８に示された重畳導電体パターン３３は、第２方向ｄｂに一定ピッチで配列され且つ第２方向ｄｂと交差する方向に延びる複数の導電体細線部をそれぞれ含む二以上の細線部群３ｇ，４ｇ，７ｇ，８ｇを有している。より具体的には、図８に示された例において、重畳導電体パターン３３は、第２方向ｄｂに一定ピッチで配列され且つ第２方向ｄｂと交差する方向に延びる第３、第４、第７、第８の細線部群３ｇ，４ｇ，７ｇ，８ｇを含んでいる。四つの細線部群３ｇ，４ｇ，７ｇ，８ｇにそれぞれ含まれる導電体細線部ｂ３，ｂ４，ｂ７，ｂ８が、第２方向ｄｂに順に配列されている。また、各細線部群３ｇ，４ｇ，７ｇ，８ｇに含まれる複数の導電体細線部ｂ３，ｂ４，ｂ７，ｂ８の第２方向ｄｂへの配列ピッチは、四つの細線部群間で同一となっている。したがって、重畳導電体パターン３３は、全体として、各細線部群３ｇ，４ｇ，７ｇ，８ｇに含まれる複数の導電体細線部ｂ３，ｂ４，ｂ７，ｂ８の第１方向ｄｂへの配列ピッチと同一長さＰｂにて、第２方向ｄｂに周期性を示すようになる。
【００８４】
また、図８に示された例では、三つの細線部群３ｇ，７ｇ，８ｇに含まれる導電体細線部ｂ３，ｂ７，ｂ８は、第２方向ｄｂに長さＰｂ／４だけずれて位置している。その一方で、第４の細線部群４ｇに含まれる導電体細線部ｂ４は、他の細線部群に属し且つ隣接する導電体細線部から長さＰｂ／４だけずれた位置Ｐｖｂ（図８における細点線の位置）には存在しない。このため、異なる細線部群に含まれて第２方向ｄｂに隣り合う二つの導電体細線部ｂ３，ｂ４，ｂ７，ｂ８の第２方向ｄｂに沿った配置間隔は、一定ではなく変化している。
【００８５】
以上の重畳導電体パターン３３を含む図８のタッチパネルセンサ３０によれば、モアレ、濃淡むら、ぎらつきを効果的に目立たなくさせることができる。この図８に示された重畳導電体パターン３３は、図９に示された第１導電体パターン４２と図１０に示された第２導電体パターン４７との組み合わせによって、得られる。後述するように、図８の重畳導電体パターン３３に含まれる細線部群１ｇ，２ｇ，５ｇ，６ｇのうちの一部の細線部群が、図９の第１導電体パターン４２に含まれ、前記一部以外の細線部群が、図１０の第２導電体パターン４７に含まれている。同様に、図８の重畳導電体パターン３３に含まれる細線部群３ｇ，４ｇ，７ｇ，８ｇのうちの一部の細線部群が、図９の第１導電体パターン４２に含まれ、前記一部以外の細線部群が、図１０の第２導電体パターン４７に含まれている。そして、第１検出電極４１に含まれる導電体細線部と第２検出電極４６に含まれる導電体細線部とが、第１方向ｄｘに順に配列されている。
【００８６】
図９に示された第１導電体パターン４２は、重畳導電体パターン３３に含まれた細線部群のうちの第１〜第４の細線部群１ｇ，２ｇ，３ｇ，４ｇを含んでいる。すなわち、図９に示された第１導電体パターン４２は、第１方向ｄａに一定ピッチで配列され且つ第１方向ｄａと交差する方向に延びる複数の導電体細線部をそれぞれ含む二以上の細線部群１ｇ，２ｇを有している。二以上の細線部群１ｇ，２ｇにそれぞれ含まれる導電体細線部ａ１，ａ２が、第１方向ｄａに順に配列され、異なる細線部群に含まれて第１方向ｄａに隣り合う二つの導電体細線部ａ１，ａ２の第１方向ｄａに沿った配置間隔は、一定ではなく変化している。また、図９に示された第１導電体パターン４２は、第２方向ｄｂに一定ピッチで配列され且つ第２方向ｄｂと交差する方向に延びる複数の導電体細線部をそれぞれ含む二以上の細線部群３ｇ，４ｇを有している。二以上の細線部群３ｇ，４ｇにそれぞれ含まれる導電体細線部ｂ３，ｂ４が、第２方向ｄｂに順に配列され、異なる細線部群に含まれて第２方向ｄｂに隣り合う二つの導電体細線部ｂ３，ｂ４の第２方向ｄｂに沿った配置間隔は、一定ではなく変化している。この図９に示された第１導電体パターン４２は、単独で用いられた際に、モアレ、濃淡むら、ぎらつきを効果的に目立たなくさせることができる。
【００８７】
一方、図１０に示された第２導電体パターン４７は、重畳導電体パターン３３に含まれた細線部群のうちの第５〜第８の細線部群５ｇ，６ｇ，７ｇ，８ｇを含んでいる。図１０に示された第２導電体パターン４７は、第１方向ｄａに一定ピッチで配列され且つ第１方向ｄａと交差する方向に延びる複数の導電体細線部ａ５，ａ６を有している。複数の導電体細線部ａ５，ａ６は、重畳導電体パターン３３において細線部群５ｇ，６ｇに属するようになる。しかしながら、図１０に示された第２導電体パターン４７において、複数の導電体細線部ａ５，ａ６は、全体として、第１方向ｄａに一定のピッチで配列されている。同様に、図１０に示された第２導電体パターン４７は、第２方向ｄｂに一定ピッチで配列され且つ第２方向ｄｂと交差する方向に延びる複数の導電体細線部ｂ７，ｂ８を有している。複数の導電体細線部ｂ７，ｂ８は、重畳導電体パターン３３において細線部群７ｇ，８ｇに属するようになる。しかしながら、図１０に示された第２導電体パターン４７において、複数の導電体細線部ｂ７，ｂ８は、全体として、第２方向ｄｂに一定のピッチで配列されている。したがって、図１０に示された第２導電体パターン４７自体は、規則的なパターンをなしており、モアレを目立たなくする工夫が何ら施されていない。しかしながら、この図１０の第２導電体パターン４７は、図９の第１導電体パターン４２との組み合わせにおいて、モアレ、濃淡むら、ぎらつきを効果的に目立たなくさせ得る図８の重畳導電体パターン３３を形成することができる。
【００８８】
また、上述した実施の形態において、第１導電体パターン４２及び第２導電体パターン４７が、第１方向に配列された導電体細線部と第２方向に配列された導電体細線部との両方を有する例を示したが、この例に限られない。第１導電体パターン４２及び第２導電体パターン４７が、第１方向及び第２方向のいずれかに配列された導電体細線部のみを有するようにしてもよい。図１１に示された第１導電体パターン４２は、図８の重畳導電体パターン３３に含まれた細線部群のうちの第１、第２、第５及び第６の細線部群１ｇ，２ｇ，５ｇ，６ｇを含んでいる。図１１に示された第１導電体パターン４２は、第１方向ｄａに一定ピッチで配列され且つ第１方向ｄａと交差する方向に延びる複数の導電体細線部をそれぞれ含む四つの細線部群１ｇ，２ｇ，５ｇ，６ｇを有している。四つの細線部群１ｇ，２ｇ，５ｇ，６ｇにそれぞれ含まれる導電体細線部ａ１，ａ２，ａ５，ａ６が、第１方向ｄａに順に配列され、異なる細線部群に含まれて第１方向ｄａに隣り合う二つの導電体細線部ａ１，ａ２，ａ５，ａ６の第１方向ｄｘに沿った配置間隔は、一定ではなく変化している。この図１１に示された第１導電体パターン４２は、単独で用いられた際に、モアレ、濃淡むら、ぎらつきを効果的に目立たなくさせることができる。
【００８９】
ところで、図１１に示された第１導電体パターン４２は、第１方向ｄａに隣り合う複数の導電体細成部によって、一つの第１検出電極４１を形成するようにしてもよい。図１１に示された例においては、各導電体細線群に含まれる四つの導電体細線部が、非アクティブエリアＡａ２において、第１取出電極４４により互いに接続され、一つの第１検出電極４１を形成している。
【００９０】
なお、図１１に示された第１導電体パターン４２との組み合わせで使用される第２導電体パターン４７として、図８の重畳導電体パターン３３に含まれた細線部群のうちの第３、第４、第７及び第８の細線部群３ｇ，４ｇ，７ｇ，８ｇを含む導電体パターンを用いることができる。この導電体パターンも、図１１の第１導電体パターン４２と同様に、モアレ、濃淡むら、ぎらつきを効果的に目立たなくさせることができる。
【００９１】
さらに、上述した実施の形態の図２に示されたタッチパネルセンサ３０では、各検出電極４１，４６がアクティブエリアＡａ１内に配置された細長い矩形状の導電体パターン４２，４７として形成されているが、これに限られない。検出電極４１，４６の構成は、種々の変更が可能である。図１２に示された例では、各第１検出電極４１が、その長手方向に間隔を明けて配列された多数の第１導電体パターン４２と、隣り合う二つの第１導電体パターン４２の間を接続する接続部４３と、を有している。同様に、各第２検出電極４６は、その長手方向に間隔を明けて配列された多数の第２導電体パターン４７と、隣り合う二つの第２導電体パターン４７の間を接続する接続部４８と、を有している。各検出電極４１，４６は、導電体パターン４２，４７及び接続部４３，４８により、アクティブエリアＡａ１内を直線状に延びている。各検出電極４１，４６が配置されている領域の幅は、導電体パターン４２，４７が設けられている部分において太くなっている。第１電極４０に含まれる各第１検出電極４１は、第２電極４５に含まれる多数の第２検出電極４６と交差している。そして、図１２に示すように、第１電極４０の第１検出電極４１は、その接続部４３において、第２電極４５の第２検出電極４６の接続部４８と交差している。したがって、第１検出電極４１の第１導電体パターン４２は、隣り合う二つの第２検出電極４６の間に配置され、第２検出電極４６の第２導電体パターン４７は、隣り合う二つの第１検出電極４１の間に配置されている。
【００９２】
なお、以上において上述した実施の形態に対するいくつかの変形例を説明してきたが、当然に、複数の変形例を適宜組み合わせて適用することも可能である。
【符号の説明】
【００９３】
ｄｘ，ｄａ      第１方向
ｄｙ，ｄｂ      第２方向
ＵＳ   単位領域
１０   表示装置
１２   画像表示機構
２０   タッチパネル装置
２２   透明カバー
３０   タッチパネルセンサ
３３   重畳導電体パターン
３５   基材シート
３５ａ 第１基材シート
３５ｂ 第２基材シート
４０   第１電極
４１   第１検出電極
４２   第１導電体パターン
４３   接続部
４４   第１取出電極
４４ａ 端子部
４５   第２電極
４６   第２検出電極
４７   第２導電体パターン
４７ａ 分岐点
４７ｂ 接続要素
４８   接続部
４９   第２取出電極
４９ａ 端子部
１ｇ   第１の導電体細線部群
２ｇ   第２の導電体細線部群
３ｇ   第３の導電体細線部群
４ｇ   第４の導電体細線部群
５ｇ   第５の導電体細線部群
６ｇ   第６の導電体細線部群
７ｇ   第７の導電体細線部群
８ｇ   第８の導電体細線部群
９ｇ   第９の導電体細線部群
１０ｇ 第１０の導電体細線部群
１１ｇ 第１１の導電体細線部群
１２ｇ 第１２の導電体細線部群
ｘ１   第１導電体細線部
ｘ２   第２導電体細線部
ｘ３   第３導電体細線部
ｙ４   第４導電体細線部
ｙ５   第５導電体細線部
ｙ６   第６導電体細線部
ｘ７   第７導電体細線部
ｘ８   第８導電体細線部
ｘ９   第９導電体細線部
ｙ１０ 第１０導電体細線部
ｙ１１ 第１１導電体細線部
ｙ１２ 第１２電体細線部
ａ１   第１導電体細線部
ａ２   第２導電体細線部
ｂ３   第３導電体細線部
ｂ４   第４導電体細線部
ａ５   第５導電体細線部
ａ６   第６導電体細線部
ｂ７   第７導電体細線部
ｂ８   第８導電体細線部
【図１】
2016103202.tif 000003
【図２】
2016103202.tif 000004
【図３】
2016103202.tif 000005
【図４】
2016103202.tif 000006
【図５】
2016103202.tif 000007
【図６】
2016103202.tif 000008
【図７】
2016103202.tif 000009
【図８】
2016103202.tif 000010
【図９】
2016103202.tif 000011
【図１０】
2016103202.tif 000012
【図１１】
2016103202.tif 000013
【図１２】
2016103202.tif 000014